(57)【要約】【課題】回転筒体の内部に熱がこもらず、熱によるＬＥＤ灯への悪影響を防止可能な理美容サインポール装置を提供する。【解決手段】電動モータＭにて回転駆動される回転筒体１と、その回転筒体１を内部から照らすためのＬＥＤ灯３と、を備え、回転筒体１の内部に、下方から上方へ換気流を発生させる換気用の羽根体５を設けた。【選択図】図１
2018151505.tif 000002
【特許請求の範囲】
【請求項１】
電動モータ（Ｍ）にて回転駆動される回転筒体（１）と、該回転筒体（１）を内部から照らすためのＬＥＤ灯（３）と、を備え、
上記回転筒体（１）の内部に、下方から上方へ換気流を発生させる換気用の羽根体（５）を設けたことを特徴とする理美容サインポール装置。
【請求項２】
下方から上方への上記換気流を、装置上部から外方へ誘導すると共に、装置上部から雨水が浸入するのを防止するＵ字乃至Ｊ字状の排気ダクト（８）を付設した請求項１記載の理美容サインポール装置。
【発明の詳細な説明】
【技術分野】
【０００１】
本発明は、理美容サインポール装置に関する。
【背景技術】
【０００２】
従来、理美容サインポール装置は、電動モータにて回転駆動される回転筒体と、回転筒体を内部から照らすための蛍光灯と、を備えていた（例えば、特許文献１参照）。
【先行技術文献】
【特許文献】
【０００３】
【特許文献１】実公昭５８−４１１２号公報
【発明の概要】
【発明が解決しようとする課題】
【０００４】
従来の理美容サインポール装置は、節電や長寿命化のために、蛍光灯に換えて、ＬＥＤ灯を取り付けると、ＬＥＤ素子で発生する熱や、交流から直流に変換するための電源回路部（ＡＣ−ＤＣ変換部）で発生する熱が、回転筒体の内部にたまって、ＬＥＤ灯に故障や短命化等の悪影響を及ぼすといった問題があった。
【０００５】
そこで、本発明は、回転筒体の内部に熱がこもらず、熱によるＬＥＤ灯への悪影響を防止可能な理美容サインポール装置の提供を目的とする。
【課題を解決するための手段】
【０００６】
上記目的を達成するために、本発明の理美容サインポール装置は、電動モータにて回転駆動される回転筒体と、該回転筒体を内部から照らすためのＬＥＤ灯と、を備え、上記回転筒体の内部に、下方から上方へ換気流を発生させる換気用の羽根体を設けたものである。
また、下方から上方への上記換気流を、装置上部から外方へ誘導すると共に、装置上部から雨水が浸入するのを防止するＵ字乃至Ｊ字状の排気ダクトを付設したものである。
【発明の効果】
【０００７】
本発明によれば、ＬＥＤ灯が点灯している際に発生する熱が、回転筒体の内部にこもらず、ＬＥＤ灯への悪影響を防止でき、ＬＥＤ灯本来の寿命や品質を得ることができる。
【図面の簡単な説明】
【０００８】
【図１】本発明の理美容サインポール装置の実施の一形態を示す要部断面正面図である。
【図２】他の実施形態を示す要部断面正面図である。
【図３】羽根体の他の一例を示す斜視図である。
【発明を実施するための形態】
【０００９】
以下、図示の実施形態に基づき本発明を詳説する。
本発明に係る理美容サインポール装置は、図１に示すように、電動モータＭによって回転駆動される円筒状の回転筒体１と、回転筒体１を外嵌状に包囲する透明乃至半透明の外筒体（保護筒体）２と、外筒体２の基端部（下端部）２ａを支持すると共に電動モータＭが内部に配設されるケース部材６と、外筒体２の先端部（上端部）２ｂに施蓋状に取着されるキャップ部材７と、回転筒体１を内部から照らすためのＬＥＤ灯３と、を備えている。
【００１０】
回転筒体１は、電動モータＭの駆動回転軸Ｍｄに外嵌状に取着した円形状の回転盤10に、基端部（下端部）１ａが固着され、電動モータＭの駆動力を、回転盤10を介して受けて筒軸心Ｌ１廻りに回転駆動する。
【００１１】
ＬＥＤ灯３は、キャップ部材７に吊下状に取着され回転筒体１の内部に配設される灯器具（灯支持具）30に、着脱（交換）自在に取着されている。
ＬＥＤ灯３は、直管型（直管型蛍光灯を模した形状）であって、給電用口金ピン部や接地用口金ピンを有している。
灯器具30は、反射板、給電側ソケット部、接地側ソケット部を有し、電源線や接地線等のコードが接続されて、直管型のＬＥＤ灯３に電気を供給可能に構成している。
【００１２】
ここで、ＬＥＤ灯３が点灯すると、ＬＥＤ素子や電源回路部（ＡＣ−ＤＣ変換部）等が発熱する。なお、図示省略するが、電源回路部は、例えば、直管型ＬＥＤ灯３の灯筒内部や外部、或いは、灯器具30の内部や外部に設けている。いずれにしても、回転筒体１の内部に配設されている。
【００１３】
そして、ＬＥＤ灯３の点灯に伴う熱（上述の発熱）が、回転筒体１の内部にこもる（滞留する）と、ＬＥＤ素子は熱に弱いため、短命化や故障の原因となる。
そこで、回転筒体１の内部に、下方（基端側）から上方（先端側）へ換気流を発生させる換気用の羽根体５を設けている。
【００１４】
羽根体５は、回転筒体１（の内周面）と一体状に設けられた板状の換気用フィン51と、電動モータＭの駆動回転軸Ｍｄに一体状に設けられた（外嵌状に取着する）プロペラ型の換気用ファン52と、を備えている。羽根体５は、換気用フィン51及び換気用ファン52の少なくとも一方を備えていれば良い。
【００１５】
換気用フィン51は、回転筒体１の内周面側からラジアル内方突状に設けられ、回転筒体１の筒軸心Ｌ１廻りに所定ピッチをもって配設され、回転筒体１と一体に回転して（回転筒体１の回転を利用して）、換気流を発生させる。また、換気用フィン51は、回転筒体１の内部に上昇する換気流を発生可能に筒軸心Ｌ１に対して傾斜状に配設している。
【００１６】
換気用ファン52は、回転盤10に挿通した駆動回転軸Ｍｄと一体に回転して、換気流を発生させる。換気用ファン52は、２枚羽根や４枚羽根等のブレードプロペラ型又はスクリュープロペラ型（プロペラファン）、多翼型（多翼ファン）、斜流型（斜流ファン）、混流型（混流ファン）等自由である。
【００１７】
また、図３に示すように、羽根体５は、回転盤10に一体に設けて良い。つまり、回転盤10の上面10ａに、電動モータＭの角柱状の駆動回転軸Ｍｄ（図１参照）が挿入される上方突出状の角筒型の筒部12を設け、その筒部12からラジアル外方へ突出する複数枚の羽根を設ける（固着する）も良い。又は、回転盤10の上面10ａに、フィンや羽根を起立状、かつ、筒軸心Ｌ１に対して捩じり形状に固着した構造とするも良い。このように、羽根体５を回転盤10と一体に設けることで、製作及び組立が容易となる。
【００１８】
つまり、羽根体５は、回転筒体１を回転駆動するための電動モータＭの駆動力を利用して回転するように設けている。言い換えると、回転筒体１の回転駆動源と、羽根体５の回転駆動源とを、１つの電動モータＭで共用（併用）としている。従って、電動モータＭが１つで良く、軽量化、構造の簡素化、省エネルギー化を実現できる。
さらに言い換えると、羽根体５は、回転筒体１と一体乃至連動して回転するように設けている。つまり、回転筒体１が回転すれば羽根体５も回転するように設けている。
【００１９】
そして、羽根体５は、ＬＥＤ灯３の下方位置かつ、回転筒体１の基端部（下端部）１ａにおいて、外周面がケース部材６によって外部から目隠しされている部位に対応して設けている。ＬＥＤ灯３が点灯した場合に、回転筒体１の外周面に羽根体５が投影されても、ケース部材６により、外部から目視できず、広告訴求力や美観を損ねない。
【００２０】
ケース部材６は、装置外部の空気（エア）を吸い込むためのエア取込孔61を有している。
回転盤10は、ケース部材６内から回転筒体１内へ空気を流すためのエア流入孔11を有している。
キャップ部材７は、回転筒体１の先端開口部（上端開口部）１ｄから排出される換気流を、キャップ部材７の内部へ流すための開口部71を有している。
そして、キャップ部材７の天井壁部77に、上方開口状の排気用孔部78を貫設し、さらに、排気用孔部78と連通連結する排気ダクト８を取着（固着）している。
【００２１】
排気ダクト８は、キャップ部材７の排気用孔部78と連通連結する導入口部８ｄと、中間のＵターン部８ｅと、換気流を装置外部へ排出する排気口８ｆと、を有し、換気流を、装置上部から外方へ（キャップ部材７の排気用孔部78から装置外部へ）誘導すると共に、装置上部から（キャップ部材７の排気用孔部78から装置内部へ）雨水が浸入するのを防止するＵ字乃至Ｊ字状に形成されている。
【００２２】
回転筒体１は、外周面に、理美容店があることを表示（広告）する螺旋模様や店名等の装飾が施されている。また、回転筒体１は、透光性を有する樹脂製であって、内部のＬＥＤ灯３が点灯することで回転筒体１全体が光っているように見える。
【００２３】
外筒体２は、半透明乃至透明の樹脂製であって、回転筒体１の外周面に施した広告や店名やデザイン等の装飾や、回転筒体１を透過したＬＥＤ灯３の明かり（照明光）が、外部から視認可能なものである。外筒体２は、円形筒状に限らず、角筒状であっても良い。
【００２４】
また、回転筒体１と外筒体２の間に、ケース部材６とキャップ部材７を連結する補強用の支柱部材67を、複数本、設けている。
また、図示省略するが、キャップ部材７と回転筒体１の先端部（上端部）１ｂとの間に、回転筒体１を回転自在に保持して、回転筒体１の先端部１ｂの振れや倒れを規制する滑り部材を設けるのが望ましい。
【００２５】
次に、本発明の理美容サインポール装置の作用（使用方法）について説明する。
電動モータＭの駆動回転軸Ｍｄが回転すると、換気用ファン52は回転筒体１と同じ回転数（ｒｐｍ）をもって筒軸心Ｌ１廻りに回転（自転）し、換気用フィン51は回転筒体１と一体に筒軸心Ｌ１廻りに回転（公転）する。
【００２６】
羽根体５の回転によって、装置外部からエア取込孔61とエア流入孔11を介して回転筒体１の内部に空気が吸い込まれると共に、回転筒体１の内部に下方から上方（軸心一方側Ｎａから軸心他方側Ｎｂ）へ送流する換気流が発生する。
【００２７】
ＬＥＤ灯３の点灯に伴う熱（ＬＥＤ素子や電源回路部の発熱）は、換気流によって、搬送され、回転筒体１の先端開口部１ｄから排出される。
さらに、熱をもった換気流は、キャップ部材７の開口部71を介して、キャップ部材７内部に送られ、排気用孔部78を介して排気ダクト８へ送られる。
【００２８】
排気ダクト８内の気流は、Ｕターン部８ｅにて方向変換され、基端側（軸心一方側Ｎａ）へ向かって開口する（下方開口状の）排気口８ｆから排出される。回転筒体１の内部に熱がこもらず、ＬＥＤ灯３への熱による悪影響が防止され、所定の（適正な）寿命が得られる。
【００２９】
また、屋外での使用において、雨が降っても、排気ダクト８は、軸心他方側Ｎｂへ膨らむ弯曲凸状のＵターン部８ｅを有しているので、排気ダクト８を介してキャップ部材７内へ雨水が浸入するのを阻止する。また、キャップ部材７と外筒体２とケース部材６によって装置内部の電動モータＭ等の電気機器や回転筒体１は雨水から保護されている。
【００３０】
次に、図２に示す他の実施形態について説明する。
図２に示した実施形態は、図１を用いて説明した実施形態と比べて、ケース部材６がキャップ型である。また、ケース部材６の外壁部とキャップ部材７の外壁部とを連結する連結部材91と、鉛直面状の壁や柱等の被取付部Ｋに固着されると共に連結部材91が取着する取付金具92と、を備え、取付金具92に対して、連結部材91を水平状の枢着軸心廻りに揺動自在かつ固定可能に枢着したものである。
そして、回転筒体１が先端上傾状姿勢（筒軸心Ｌ１が傾斜状）に保持されている。
このように設けることで、本装置を高所に設けることができ、訴求力を向上できると共に、店前スペースを有効利用できる。また、盗難を防止できる。他の構成及び作用効果は、図１の実施形態と同様である。
【００３１】
なお、本発明の説明を容易にするために、回転筒体１を、筒軸心Ｌ１が鉛直状となるように配設した場合を基準姿勢として、方向を説明している。したがって、方向を基に、使用状態の姿勢を限定するものではない。例えば、図２のような先端上傾状姿勢からさらに傾けて、筒軸心Ｌ１が水平状となるような使用も可能である。
つまり、上下方向を言い換えると、下方は、軸心一方側Ｎａであり、上方は、軸心他方側Ｎｂと言える。
【００３２】
なお、本発明は、設計変更可能であって、ケース部材６は、図１に示すような基台型や、車輪を有する台車型、図２に示すようなキャップ型等自由である。
羽根体５は、回転筒体１の内部であれば良く、軸心一方側Ｎａ及び軸心他方側Ｎｂの少なくとも一方に設ければ良い。例えば、回転筒体１の先端部１ｂにおいて、外周面がキャップ部材７によって外部から目隠しされている部位に対応して設けても良い。
【００３３】
換気用フィン51は、回転筒体１の内周面に沿って、筒軸心Ｌ１廻りに螺旋状に連続又は間欠的に設けたスパイラル型であっても良い。
換気用ファン52は、駆動回転軸Ｍｄに固着せず、羽根（ブレード）の先端を、回転筒体１の内周面に固着して（軸無しファンとして）、回転筒体１と一体とするも良い。
また、換気用ファン52は、駆動回転軸Ｍｄに取着せず、電動モータＭの駆動回転軸Ｍｄによって、回転筒体１の内部で回転する部材（回転軸）に取着すれば良い。
【００３４】
また、図示省略するが、電動モータＭの駆動回転軸Ｍｄを、回転筒体１の筒軸心Ｌ１から偏心した位置に配設し、回転筒体１と同軸心状に従動回転軸を設け、その従動回転軸を、電動モータＭの駆動回転軸Ｍｄと、歯車やプーリ、チェーンやベルト、円錐台状の摩擦部材等の動力伝達部材を介して連動連結して、回転筒体１や回転盤10を回転させるように構成しても良い。この場合、換気ファン52は従動回転軸に設ける。
つまり、換気ファン52は、回転筒体１の筒軸心Ｌ１と同軸心状に配設されて回転する軸（駆動回転軸Ｍｄや従動回転軸や回転盤10に突設した軸等）に、設ければ良い。
電動モータＭが減速機構部を有している場合は、減速機構部の出力軸を、電動モータＭの駆動回転軸Ｍｄと呼ぶ。
【００３５】
ＬＥＤ灯３は、直管型に限らず、細帯型（テープ型）であっても良く、筒軸心Ｌ１に沿って配設可能な直線状であれば良い。或いは、電球型や板型（フラット型）、チューブ型とするも良い。灯器具30はＬＥＤ灯３を支持可能であれば良い。
【００３６】
また、図１及び図２において、ＬＥＤ灯３へ電気を供給するＬＥＤ用電源コード39は、ケース部材６内部から、外筒体２の筒壁部に設けた配線用孔部を挿通させ、キャップ部材７を介して、回転筒体１の先端開口部１ｄから灯器具30に接続しているが、支柱部材67をパイプ状として、支柱部材67内を挿通させるも良い。或いは、上述の従動回転軸をパイプ状として、従動回転軸にＬＥＤ用電源コード39を挿通させて灯器具30の下端部に接続するも良い。
【００３７】
以上のように、本発明の理美容サインポール装置は、電動モータＭにて回転駆動される回転筒体１と、該回転筒体１を内部から照らすためのＬＥＤ灯３と、を備え、上記回転筒体１の内部に、下方から上方へ換気流を発生させる換気用の羽根体５を設けたので、ＬＥＤ灯３が点灯している際に発生する熱が、回転筒体１の内部にこもらず、ＬＥＤ灯３への悪影響を防止でき、ＬＥＤ灯３本来の寿命や品質を得ることができる。発熱量の多いＡＣ−ＤＣ変換器を使用でき、家庭用電源（交流）を直流に変換してＬＥＤ灯３を点灯できる（ＬＥＤ灯３専用の直流バッテリーが不要となる）。
【００３８】
また、下方から上方への上記換気流を、装置上部から外方へ誘導すると共に、装置上部から雨水が浸入するのを防止するＵ字乃至Ｊ字状の排気ダクト８を付設したので、換気流をスムーズに排気して内部の熱を外方へ放出し、かつ、雨水の浸入を防止して屋外に設置できる。
【符号の説明】
【００３９】
１  回転筒体
３  ＬＥＤ灯
５  羽根体
８  排気ダクト
Ｍ  電動モータ
【図１】
2018151505.tif 000003
【図２】
2018151505.tif 000004
【図３】
2018151505.tif 000005